(57)【要約】【課題】エンドピンの抑止能力が優れているとともに、弦楽器の使用時の準備に手間がかからず、その設置場所を自由に選ぶことができるエンドピンストッパーを提供する。【解決手段】  エンドピンストッパー１０は、ゴム、樹脂等の弾性材料の筒体１２からなる。筒体１２の筒孔Ｐは、エンドピンの先端部の外径とほぼ同程度または僅かに小さい程度の孔径に形成される。筒体１２の一方の筒端面は、筒孔Ｐにエンドピンの先端部を挿入するための装着面１２ａになっており、筒体１２の他方の筒端面は、筒孔Ｐの軸方向に対し所定角度θで傾斜する接地面１２ｂになっている。接地面１２ｂの傾斜角度θは、４０〜６０゜程度であるとよい。【選択図】図１
2006030436.tif 000002
【特許請求の範囲】
【請求項１】
ゴム、樹脂等の弾性材料の筒体からなるエンドピンストッパーであって、
前記筒体の筒孔は、エンドピンの先端部の外径とほぼ同程度または僅かに小さい程度の孔径に形成されており、かつ、
前記筒体の一方の筒端面は、前記筒孔にエンドピンの先端部を挿入するための装着面になっており、しかも、前記筒体の他方の筒端面は、前記筒孔の軸方向に対し所定角度で傾斜する接地面になっていることを特徴とするエンドピンストッパー。
【請求項２】
前記筒孔の軸方向に対する前記接地面の傾斜角度が４０〜６０゜程度である、請求項１記載のエンドピンストッパー。
【請求項３】
前記筒体が円筒形である、請求項１記載のエンドピンストッパー。
【請求項４】
前記筒体の筒外面に、周方向に連なる括れ部が形成される、請求項１記載のエンドピンストッパー。
【発明の詳細な説明】
【技術分野】
【０００１】
本発明は、チェロやコントラバス等の大型弦楽器を演奏する際にエンドピンがずれないように固定するためのエンドピンストッパーに関するものである。
【背景技術】
【０００２】
大型弦楽器チェロを演奏する際に、図５に示すように、共鳴体の下部にあるエンドピン１の先端１ａを床面２に突き当てて固定しているが、床面２の材質によってはその固定部が窪んだり、傷付いたりすることがある。また、床が固い場合は、エンドピン１が滑って楽器が固定できず、演奏が困難になることもある。
そのための防止策として、図６に示すように、エンドピンの先端を受ける受穴Ｈの付いた円盤状のゴムストッパー３や、図７に示すように、椅子の脚５などに受穴Ｈ付きの板片６を紐Ｌでくくりつける紐付きストッパー７、その他これらのストッパーに類似した演奏者等の工夫による手製のストッパー等が用いられている。
【０００３】
なお、関連する先行技術としては、下記の特許文献１および２等が開示されている。
【特許文献１】実開平０７−１６９９１号公報
【特許文献２】実開平０６−２５８９１号公報
【発明の開示】
【発明が解決しようとする課題】
【０００４】
上記図６に示すような受穴付きゴムストッパーは、現在市販されており、多くの演奏家は主に練習用にこれを利用している。しかし、床の状態、または演奏者の姿勢によっては、受穴Ｈからエンドピンが外れやすくなる。また、上記のような受穴Ｈ付きゴムストッパーを使用する場合、あらかじめ椅子とエンドピンとの距離を想定し、その位置にエンドピンストッパーを設置しなければならないし、椅子を移動するたびに同じ手間がかかるなどの問題がある。
【０００５】
一方、図７に示すような紐付きストッパーについては、演奏者の前方向のずれは防げても、後ろ方向と左右方向のずれは防止することは出来ないし、紐をその都度椅子に結びつけて長さを調節するのは面倒である。特にオーケストラの練習などで座席の移動を伴うときには、椅子ごとの移動となり大変不便である。
【０００６】
本発明の目的とするところは、エンドピンの抑止能力が優れているとともに、弦楽器の使用時の準備に手間がかからず、その設置場所を自由に選ぶことができるエンドピンストッパーを提供することにある。
【課題を解決するための手段】
【０００７】
本発明のエンドピンストッパーは、ゴム、樹脂等の弾性材料の筒体からなるエンドピンストッパーであって、
前記筒体の筒孔は、エンドピンの先端部の外径とほぼ同程度または僅かに小さい程度の孔径に形成されており、かつ、
前記筒体の一方の筒端面は、前記筒孔にエンドピンの先端部を挿入するための装着面になっており、しかも、前記筒体の他方の筒端面は、前記筒孔の軸方向に対し所定角度で傾斜する接地面になっている構成とした。
【０００８】
本発明のエンドピンストッパーを使用する場合、まず、筒体の装着面をエンドピンに向け、その筒孔にエンドピンの先端を押し入れる。次に、エンドピンの先端軸周りに筒体を回転させつつ、エンドピンが演奏時に最適な角度になるように、筒体の接地面を床面に密着させる。
【発明の効果】
【０００９】
本発明によれば、エンドピンの先にキャップの代わりにエンドピンストッパーを差し込むことができるため、ストッパーの設置場所の調整、紐の長さの調節、椅子との距離を想定しての設置などの手間がなくなる。
【００１０】
また、従来のストッパーと比べコンパクトな構成になるため、エンドピンの先にエンドピンストッパーを常に付けておくことができる。そして、一旦、取り付けてしまえば楽器と一緒にエンドピンストッパーを扱うことができ、ストッパーを個別に扱う手間がなくなり、外観的にも違和感がない。また、そのままエンドピンキャップとして楽器のケースに収めることができるので、ストッパーを忘れることも無く、キャップの取り外しに伴う紛失も解消できる。
【００１１】
さらに、従来のストッパーは床面の状態・材質によりエンドピンの抑止効果が充分ではない場合があるが、本発明のエンドピンストッパーでは、弾性体の筒体が傾いた状態になってリング状の接地面で床面に均等に荷重をかけるため、全方向にエンドピンがずれにくくなる。すなわち、接地面の傾斜と弾性体のもつ軟質特性との相互作用により床面にストッパーを密着支持させることができ、絨毯・畳・板の間・タイルすべての床面で優れた抑止能力を発揮することができる。
【００１２】
本発明のエンドピンストッパーにおいて、前記筒孔の軸方向に対する前記接地面の傾斜角度は、４０〜６０゜程度、望ましくは５０゜程度であるのが望ましい。
弦楽器を演奏する場合、接地面の角度が上記角度範囲であると、エンドピンが極めて演奏しやすい角度に保たれる。発明者らの実験によれば、チェロやコントラバス等の大型弦楽器を演奏する場合には、接地面の角度が５０゜程度であると、エンドピンの向きが最も演奏に適したものとなった。
【００１３】
また、本発明のエンドピンストッパーにおいて、前記筒体は円筒形であるのが望ましい。
このように筒体が円筒形であると、演奏時にエンドピン全周のいずれの方向に力がかかったときでも、床面と接地面との間に十分な摩擦力が生じ、エンドピンの全方向において均等に抑止効果を高めることができる。
【００１４】
さらに、本発明のエンドピンストッパーにおいて、前記筒体は、その筒外面に周方向に、連なるくびれ部が形成されることが望ましい。
このような構成によれば、筒体のくびれ部が撓み易い構造となるので、エンドピンの動きの一部を筒体の撓みで吸収することができる。この結果、弦楽器の演奏をさらに快適に行うことができる。
【発明を実施するための最良の形態】
【００１５】
以下、本発明の実施の形態を図面に基づいて説明する。
エンドピンストッパー１０は、ゴム、シリコン等の軟質の弾性体からなる円筒状の筒体１２を有している。筒体１２の中心軸方向に筒孔Ｐが開口している。筒孔Ｐの内径は、一般的なエンドピンの先端部の外径よりもわずかに小さくなるように設定されている。
【００１６】
筒体１２の図１で上側の端面は、エンドピンの先端を装着するための装着面１２ａである。この装着面１２ａは、筒孔Ｐの軸に対してほぼ直交する面になっている。筒体１２の反対側の面（図１で下側）の面は、エンドピンストッパー１０を床面に載置するための接地面１２ｂである。接地面１２ｂは、筒孔Ｐの軸方向に対して傾斜角θで傾斜している。
【００１７】
筒体１２の具体的な寸法は、例えば図２に示すように、直径Ｄ1が２０ｍｍ、筒孔径Ｄ2が６ｍｍ程度とするとよい。筒体１２の筒長さは、最も長い部分で２０ｍｍ程度、接地面１２ｂの傾斜角θは、床面に対して５０゜程度に設定するとよい。
【００１８】
エンドピンストッパー１０を使用する場合、図３に示すように、エンドピン１の先端１ａに装着面１２ａを向けてその筒孔Ｐに先端１ａを押し込む。このとき、筒孔Ｐの内径よりも先端１ａの外径の方が僅かに大きいため、筒孔Ｐが若干押し広げられた状態になり、エンドピンストッパー１０がエンドピン１の先端１ａから容易に抜けなくなる。装着面１２ａには、エンドピンの鍔部１ａが当たり、先端１ａが床面に当たることはない。
【００１９】
次に、筒体１２の接地面１２ａを床面に載置する。このとき、エンドピン１の傾きが演奏者に最適な角度になるように、筒体１２をエンドピン１の先端１ａで軸周りに回転させて接地面１２ｂの向きを調整する。
このような体勢で弦楽器を演奏すると、エンドピン１に前後左右の力が働いても、エンドピンストッパー１０の接地面１２ｂが床面に密着した状態で互いに接触し合うため、これらの摩擦力によってエンドピン１を抑止する。これによりエンドピン１が床面上でずれにくくなる。
また、オーケストラの練習などで演奏者が椅子や場所を移動するようなときには、エンドピン１にエンドピンストッパー１０を付けたまま弦楽器を運ぶことができるため、移動先の床面に直ぐにエンドピンストッパー１０を設置し直すことができる。
【００２０】
また、エンドピンストッパー１０がエンドピン１の先端部分を囲む程度のコンパクトな構成であるため、外観的にも違和感の無いデザインのストッパーである。
さらに、演奏が終了した後においては、エンドピン１の先端にエンドピンストッパ１０を付けたまま楽器のケースに収納することができ、次回の演奏時にも直ぐに楽器のセッティングを完了させることができる。
【００２１】
本発明の実施形態として、エンドピンストッパ１０の構成を説明したが、実施形態は、これに限られることなく、本発明と同様な作用を有するものであれば、種々の変形を伴うことができる。
【００２２】
例えば図４に示すように、筒体１２の筒外面にくびれ部１２ｃを設けてもよい。くびれ部１２ｃは、筒外面に周方向に連なる断面Ｖ字形の環状溝になっている。このようにくびれ部１２ｃを設けることで、筒体１２がくびれ部１２ｃで折れ曲がるように撓む。この結果、エンドピン１の一定範囲の動きをくびれ部１２ｃよりも上の部分の撓みで吸収することができ、より快適な演奏が可能になる。例えば、動きの激しい曲を演奏する場合などには、このようなくびれ部１２の構成が有効になる。
【００２３】
また、前記実施形態では、筒体１２を円筒状に形成しているが、筒体の断面が断面四角形、六角形、八角形等の角筒状であってもよく、また、筒孔Ｐも必ずしも断面円形の筒孔ではなく、断面多角形の筒孔であってもよい。
【図面の簡単な説明】
【００２４】
【図１】本発明の実施形態によるエンドピンストッパーの側面図である。
【図２】同エンドピンストッパーを示すもので、図１のII−II線横断面図である。
【図３】同エンドピンストッパーの使用状態を示す縦断面図である。
【図４】他の実施形態によるエンドピンストッパーの使用状態を示す縦断面図である。
【図５】大型弦楽器の演奏状態を示す説明図である。
【図６】従来使われているエンドピンストッパーの斜視図である。
【図７】従来使われている他のエンドピンストッパーの斜視図である。
【符号の説明】
【００２５】
１    エンドピン
１ａ  先端部
１ｂ  つば部
１０    エンドピンストッパー
１２    筒体
１２ａ  装着面
１２ｂ  接地面
１２ｃ  くびれ部
Ｐ    筒孔
θ    傾斜角
【図１】
2006030436.tif 000003
【図２】
2006030436.tif 000004
【図３】
2006030436.tif 000005
【図４】
2006030436.tif 000006
【図５】
2006030436.tif 000007
【図６】
2006030436.tif 000008
【図７】
2006030436.tif 000009